(57)【要約】【課題】  特別な操作を必要とせずに接続されたデバイスの操作画面を表示することが可能な表示装置において、接続して直ぐに用いる目的ではなくデバイスが接続された場合にも操作画面が表示されてしまい、操作画面を閉じなくてはならず面倒であった。【解決手段】  デバイスを接続することが可能な表示装置であって、複数の種類の画面を表示することが可能な表示部と表示すべき画面を表示部に表示させる表示制御部とデバイスが新たに接続されたか否かを検出する接続検出部とを備え、接続検出部はデバイスが新たに接続されたことを検出した場合に、接続されたデバイスからデバイスの識別情報を取得して表示制御部に通知すると共に、表示制御部は通知された識別情報に基づき、新たに接続されたデバイスを操作するために用意された操作画面を表示部に表示させるか否かを判定し、表示させると判定した場合、操作画面を表示部に表示させることを特徴とする表示装置。【選択図】  図１
2006139684.tif 000002
【特許請求の範囲】
【請求項１】
デバイスを接続することが可能な表示装置であって、
複数の種類の画面を表示することが可能な表示部と、
前記表示部を制御して、表示すべき前記画面を前記表示部に表示させる表示制御部と、
前記デバイスが新たに接続されたか否かを検出する接続検出部と、
を備え、
前記接続検出部は、前記デバイスが新たに接続されたことを検出した場合に、接続された前記デバイスから前記デバイスの識別情報を取得して、前記識別情報を前記表示制御部に通知すると共に、
前記表示制御部は、通知された前記識別情報に基づき、新たに接続された前記デバイスを操作するために用意された操作画面を、前記表示部に表示させるか否かを判定し、表示させると判定した場合、前記表示部を制御して前記操作画面を前記表示部に表示させることを特徴とする表示装置。
【請求項２】
請求項１に記載の表示装置であって、
前記表示制御部は、前記操作画面を前記表示部に表示させるか否かを判定する場合、前記接続検出部から通知された前記識別情報の他に、前記識別情報が通知される前において前記表示部に表示させていた画面の種類に基づいて判定することを特徴とする表示装置。
【請求項３】
請求項１または請求項２に記載の表示装置であって、
前記デバイスを接続する場合に、ＵＳＢインタフェースを用いて接続することを特徴とする表示装置。
【請求項４】
複数の種類の画面を表示することが可能な表示部を備える表示装置において、デバイスが新たに接続された場合に、前記デバイスを操作するために用意された操作画面を、前記表示部に表示させるための操作画面表示方法であって、
（ａ）前記デバイスから前記デバイスの識別情報を取得する工程と、
（ｂ）取得した前記識別情報と、前記識別情報を取得する前において、前記表示部に表示させていた画面の種類と、に基づき、前記操作画面を前記表示部に表示させるか否かを判定する工程と、
（ｃ）前記操作画面を前記表示部に表示させると判定した場合に、前記表示部に前記操作画面を表示させる工程と、
を備える操作画面表示方法。
【請求項５】
複数の種類の画面を表示することが可能な表示部を備えるコンピュータにおいて、デバイスが新たに接続された場合に、前記デバイスを操作するために用意された操作画面を、前記表示部に表示させるためのコンピュータプログラムであって、
前記デバイスから前記デバイスの識別情報を取得する機能と、
取得した前記識別情報と、前記識別情報を取得する前において、前記表示部に表示させていた画面の種類と、に基づき、前記操作画面を前記表示部に表示させるか否かを判定する機能と、
前記操作画面を前記表示部に表示させると判定した場合に、前記表示部に前記操作画面を表示させる機能と、
を前記コンピュータに実現させるためのプログラム。
【請求項６】
請求項５に記載のプログラムを記録したコンピュータ読み取り可能な記録媒体。
【発明の詳細な説明】
【技術分野】
【０００１】
本発明は、新たに接続されたデバイスの操作画面を、ユーザによる特別な操作を必要とすることなく表示することが可能な表示装置において、デバイスが新たに接続された場合に、このデバイスの操作画面を表示部に表示させるか否かを判定する技術に関する。
【背景技術】
【０００２】
近年、コンピュータやプロジェクタ等の発達に伴い、コンピュータやプロジェクタ等を用いた表示装置が提案されている。そして、このような表示装置に対してデータの入出力を行ったり、表示する画像の画像データを記憶させるために、プリンタやメモリカードリーダ等のデバイスを表示装置に接続して用いる場合がある。
このような場合、デバイスを表示装置に接続すると共に、表示装置を操作して、このデバイスを操作するためのグラフィカルユーザインタフェース（以下、「操作画面」と呼ぶ。）を表示させねばならず、表示装置の操作に不慣れなユーザにとっては面倒であった。
【０００３】
そこで、デバイスが表示装置に接続された場合に、このデバイスの操作画面をユーザによる特別な操作を必要とすることなく表示するようなシステムが提案されている。なお、このようなシステムの一例として、下記特許文献１に記載のデジタルカメラシステムが挙げられる。
【０００４】
【特許文献１】特開平１１−２６６３８３号公報
【発明の開示】
【発明が解決しようとする課題】
【０００５】
上述したシステムでは、接続して直ぐに用いるためにデバイスを表示装置に接続する場合を想定している。従って、接続して直ぐに用いるためではなく、常に接続しておきたいといった理由から、デバイスを表示装置に接続するような場合においても、このようなユーザの意図とは関係なく、このデバイスの操作画面が表示されてしまうことになる。その結果、ユーザは表示された操作画面を閉じなくてはならず面倒であった。
【０００６】
本発明は、上述の課題を解決するためになされたものであり、新たに接続されたデバイスの操作画面を、ユーザによる特別な操作を必要とすることなく表示することが可能な表示装置において、デバイスが、接続して直ぐに用いる目的ではなく新たに接続された場合には、このデバイスの操作画面を表示しないようにすることが可能な技術を提供することを目的とする。
【課題を解決するための手段】
【０００７】
上述の課題の少なくとも一部を解決するために、本発明の表示装置は、デバイスを接続することが可能な表示装置であって、複数の種類の画面を表示することが可能な表示部と、前記表示部を制御して、表示すべき前記画面を前記表示部に表示させる表示制御部と、前記デバイスが新たに接続されたか否かを検出する接続検出部と、を備え、前記接続検出部は、前記デバイスが新たに接続されたことを検出した場合に、接続された前記デバイスから前記デバイスの識別情報を取得して、前記識別情報を前記表示制御部に通知すると共に、前記表示制御部は、通知された前記識別情報に基づき、新たに接続された前記デバイスを操作するために用意された操作画面を、前記表示部に表示させるか否かを判定し、表示させると判定した場合、前記表示部を制御して前記操作画面を前記表示部に表示させる。
【０００８】
表示装置において、或る画面が表示部に表示されている状態で、デバイスが新たに接続される場合、どのようなデバイスが接続されるかによって、ユーザが、接続して直ぐに用いる目的でこのデバイスを接続するのか、又は接続して直ぐに用いる目的ではなくこのデバイスを接続するのかを想定することができる。ここで、複数の種類の画面とは、接続されるデバイスの操作画面や、例えば、表示装置がプロジェクションテレビの場合におけるＴＶ画面や、例えば、表示装置がモニタを接続したコンピュータの場合における、処理結果を表示する画面などを示す。
【０００９】
従って、上述のような構成とすることで、表示制御部は、新たに接続されたデバイスの識別情報が通知されるので、ユーザが直ぐに用いる目的でこのデバイスを接続した場合には、このデバイスの操作画面を表示部に表示させると判定し、ユーザが直ぐに用いる目的ではなくこのデバイスを接続した場合には、このデバイスの操作画面を表示させないように判定することができる。
【００１０】
そして、表示制御部は、接続されたこのデバイスの操作画面を表示させると判定した場合に、ユーザが、接続して直ぐに用いる目的でデバイスを新たに接続した場合には、ユーザによる特別な操作を必要とすることなく、このデバイスの操作画面が表示され、一方、接続して直ぐに用いる目的ではなく、デバイスを新たに接続した場合には、このデバイスの操作画面は表示されないこととなる。
その結果、ユーザは、接続して直ぐに用いる目的ではなく新たに接続したデバイスについて、操作画面を閉じなくて済むこととなる。
【００１１】
また、本発明の表示装置において、前記表示制御部は、前記操作画面を前記表示部に表示させるか否かを判定する場合、前記接続検出部から通知された前記識別情報の他に、前記識別情報が通知される前において前記表示部に表示させていた画面の種類に基づいて判定することが好ましい。
【００１２】
表示部に複数の種類の画面が表示される場合、表示されている画面がどのような画面で、接続されるデバイスがどのようなデバイスかによって、ユーザが、接続して直ぐに用いる目的でこのデバイスを接続するのか、又は接続して直ぐに用いる目的ではなくこのデバイスを接続するのかを想定することができる。
従って、表示制御部は、接続検出部から通知されるデバイスの識別情報と、表示部に表示させていた画面の種類とに基づき、ユーザが直ぐに用いる目的でこのデバイスを接続した場合には、このデバイスの操作画面を表示部に表示させると判定し、ユーザが直ぐに用いる目的ではなくこのデバイスを接続した場合には、このデバイスの操作画面を表示させないように判定することが可能となる。
【００１３】
なお、本発明の表示装置において、前記デバイスを接続する場合に、ＵＳＢインタフェースを用いて接続することが好ましい。
【００１４】
ＵＳＢインタフェースを用いてデバイスを表示装置に接続した場合、表示装置は、ＵＳＢの初期化処理において、デバイスの識別情報であるデバイスクラス情報をこのデバイスから受信するので、接続されたデバイスを識別することが可能となる。
【００１５】
なお、本発明は、上述した装置発明の態様に限ることなく、操作画面表示方法などの方法発明としての態様で実現することも可能である。さらには、それら方法や装置を構成するためのコンピュータプログラムとしての態様や、そのようなコンピュータプログラムを記録した記録媒体としての態様や、上記コンピュータプログラムを含み搬送波内に具現化されたデータ信号など、種々の態様で実現することも可能である。
【００１６】
本発明をコンピュータプログラムまたはそのプログラムを記録した記録媒体等として構成する場合には、表示装置を制御するプログラム全体として構成するものとしてもよいし、本発明の機能を果たす部分のみを構成するものとしてもよい。また、記録媒体としては、ＲＯＭカートリッジ、パンチカード、バーコードなどの符合が印刷された印刷物、コンピュータの内部記憶装置（ＲＡＭやＲＯＭなどのメモリ）および外部記憶装置などコンピュータが読み取り可能な種々の媒体を利用できる。
【発明を実施するための最良の形態】
【００１７】
以下、本発明を実施するための最良の形態を実施例に基づいて以下の順序で説明する。
Ａ．実施例：
Ａ１．プロジェクションテレビの概要構成及びＴＶ画面表示動作：
Ａ２．デバイスが新たに接続された場合の具体的な処理：
Ａ３．実施例の効果：
Ｂ．変形例：
【００１８】
Ａ．実施例：
Ａ１．プロジェクションテレビの概要構成及びＴＶ画面表示動作：
図１は、本発明の一実施例としてのプロジェクションテレビの概要構成を示す説明図である。
プロジェクションテレビ１００は、主として、ＣＰＵ１０１と、メモリ１０２と、ＵＳＢ（Universal Serial Bus）コントローラ１０３と、図示せざるアンテナ，チューナユニット，ビデオデコーダ等から成るＴＶ信号処理部１０４と、液晶ライトバルブ１０５と、操作部１０７と、を備えており、それぞれ内部バス１０８によって接続されている。さらに、プロジェクションテレビ１００は、ＵＳＢ規格に準拠した４つのＵＳＢポートＰＴ１〜ＰＴ４と、スクリーン１０６と、を前面に備えている。
なお、プロジェクションテレビ１００は、スクリーン１０６に投射光を投射してＴＶ画面等を表示するリアプロジェクタタイプのＴＶ受像機であり、プロジェクタ部分の照明光学系や投射光学系等も備えているが、説明の便宜上、図示を省略している。
【００１９】
このうち、ＵＳＢコントローラ１０３は、ＵＳＢポートＰＴ１〜ＰＴ４に接続されており、これらＵＳＢポートＰＴ１〜ＰＴ４にＵＳＢケーブルで接続されるデバイスとの間で、データのやりとりを行うことができる。
【００２０】
メモリ１０２には、表示判定テーブルＴｂの他、表示すべき画面をスクリーン１０６に表示させるためのアプリケーションプログラム，デバイスの操作画面を生成するためのアプリケーションプログラム，画像処理のためのアプリケーションプログラムが記憶されている。そして、ＣＰＵ１０１は、所定のオペレーティングシステムの下、これらアプリケーションプログラムを実行することにより、それぞれ、表示制御部１０１ａ，操作画面生成部１０１ｂ，画像処理部１０１ｃとして機能することになる。
【００２１】
前述のオペレーティングシステムには、初期状態において、ＵＳＢコントローラ１０３のドライバが組み込まれており、ＵＳＢコントローラ１０３が制御される。
また、破線で示すメモリカードリーダＣＲ，プリンタＰＲＴ，ハードディスクドライブＨＤＤのいずれかのデバイスが、ＵＳＢポートＰＴ１〜ＰＴ４のいずれかのポートに接続された場合には、接続されたデバイスの種類に対応するドライバがオペレーティングシステムに組み込まれて、このデバイスが制御される。
【００２２】
前述のスクリーン１０６には、ＴＶ画面や、ＵＳＢポートＰＴ１〜ＰＴ４に接続されるデバイスの操作画面など、表示すべき画面が適宜切り換えられて表示される。
そして、いずれの画面を表示すべきかは、操作部１０７から入力されるユーザの指示や、後述する、本発明の特徴部分である操作画面表示処理において定められ、表示すべき画面がスクリーン１０６に表示されるように表示動作が行われる。以下に、ＴＶ画面の表示動作について簡単に説明する。
【００２３】
まず、表示制御部１０１ａは、ＴＶ信号処理部１０４に対してＴＶ画面の画像データを画像処理部１０１ｃに出力するように指示する。
ここで、ＴＶ信号処理部１０４は、ＴＶ放送電波を受信すると共に、受信した電波に基づきＴＶ画面の画像データを生成して、図示せざるフレームメモリに１フレームずつ順次上書きして記憶させており、表示制御部１０１ａから上述の指示を受けると、フレームメモリに記憶させている画像データを画像処理部１０１ｃに順次出力する。
【００２４】
画像処理部１０１ｃは、入力された画像データに基づき、画像の表示状態や画像の解像度を、それぞれ所望の表示状態や解像度となるように調整して、液晶ライトバルブ１０５に画像データを出力する。そして、液晶ライトバルブ１０５は、入力された画像データに基づいて光源からの照明光を投射光に変調する。そして、図示せざる投射光学系は、変調された投射光をスクリーン１０６に投射してＴＶ画面を表示させる。
【００２５】
Ａ２．デバイスが新たに接続された場合の具体的な処理：
今、図１に示すスクリーン１０６に、上述した表示動作によりＴＶ画面が表示されている状態で、メモリカードＭＣに記憶されている画像を直ぐに確認する目的で、ユーザが、メモリカードＭＣをメモリカードリーダＣＲに挿入し、メモリカードリーダＣＲをＵＳＢケーブルを用いてＵＳＢポートＰＴ１に接続する。
そして、メモリカードリーダＣＲがＵＳＢポートＰＴ１に新たに接続されると、本発明の特徴部分である操作画面表示処理が実行される。
【００２６】
図２は、本実施例における、操作画面表示処理の手順を示すフローチャートである。
図２に示す操作画面表示処理が開始されると、まず、ＵＳＢ制御部１０１ｄ及びメモリカードリーダＣＲは、ＵＳＢコントローラ１０３を介して互いにデータをやりとりして、ＵＳＢ規格に準拠した初期化処理を実行し、プロジェクションテレビ１００とメモリカードリーダＣＲとの間で、ＵＳＢインタフェースを用いた通信が可能な状態にする（ステップＳ２００）。
【００２７】
なお、このＵＳＢの初期化処理において、ＵＳＢ制御部１０１ｄは、デバイスの種類を示すデバイスクラス情報をメモリカードリーダＣＲから受信することにより、新たに接続されたデバイスの種類がメモリカードリーダであることを特定することができる。そして、ＵＳＢ制御部１０１ｄは、特定したデバイスの種類がメモリカードリーダであるので、メモリカードリーダ用のドライバをオペレーティングシステムに組み込む。
【００２８】
次に、図１に示すＵＳＢ制御部１０１ｄは、デバイスクラス情報に基づいて特定した、新たに接続されたデバイスの種類を表示制御部１０１ａに通知する（ステップＳ２０２）。前述のようにメモリカードリーダＣＲが接続された場合には、「メモリカードリーダ」が通知される。
【００２９】
次に、表示制御部１０１ａは、メモリ１０２から表示判定テーブルＴｂを読み出す（ステップＳ２０４）。そして、表示制御部１０１ａは、メモリ１０２から読み出した表示判定テーブルＴｂを用いて、スクリーン１０６における現在の表示画面と、ＵＳＢ制御部１０１ｄから通知されたデバイスの種類と、に基づき、新たに接続されたデバイスの操作画面を表示させるか否かを判定する（ステップＳ２０６）。
【００３０】
図３は、メモリ１０２に記憶される表示判定テーブルＴｂを示す説明図である。
なお、図３において、「ビューワ画面」はメモリカードリーダの操作画面を、「印刷画面」はプリンタの操作画面を、「ハードディスク保存画面」はハードディスクドライブの操作画面を、それぞれ示す。
【００３１】
図３に示すように、表示判定テーブルＴｂは、スクリーン１０６における現在の表示画面と、新たに接続されたデバイスの種類と、から成るマトリクスであり、それぞれの組み合わせにおいて、デバイスが新たに接続された場合に、このデバイスの操作画面を表示させるか否かが定められている。
なお、表示判定テーブルＴｂには、接続が見込まれる種々のデバイスについて、それぞれ、操作画面を表示させるか否かが定められているが、説明の便宜上、メモリカードリーダ，プリンタ，ハードディスクドライブについての部分のみ図示している。
【００３２】
具体的には、例えば、現在の表示画面がＴＶ画面の場合において、メモリカードＭＣを挿入したメモリカードリーダＣＲが新たに接続される場合、メモリカードＭＣが挿入されているので、ユーザは、このメモリカードＭＣに記憶された画像を直ぐに確認する目的で、メモリカードリーダＣＲを接続したものと想定される。従って、ビューワ画面を表示させるように定められている。
一方、例えば、現在の表示画面がＴＶ画面の場合において、プリンタＰＲＴが新たに接続される場合、ＴＶ画面は次々と変わるため、プリンタＰＲＴで印刷すべき対象となる画面が特定されないことから、ユーザは、接続して直ぐに印刷する目的でプリンタＰＲＴを接続したのではないと想定される。従って、印刷画面を表示させないように定められている。
【００３３】
従って、前述のように、現在の表示画面が「ＴＶ画面」で、ＵＳＢ制御部１０１ｄから通知されたデバイスの種類が「メモリカードリーダ」であった場合、表示制御部１０１ａは、表示判定テーブルＴｂを用いて、ビューワ画面を表示させると判定することになり、このビューワ画面をスクリーン１０６に表示させるように表示動作が行われる（ステップＳ２０８）。
【００３４】
具体的には、まず、表示制御部１０１ａは、操作画面生成部１０１ｂに対して、ビューワ画面の生成を指示する。そして、操作画面生成部１０１ｂは、ビューワ画面生成の指示を受けると、メモリカードリーダＣＲから、挿入されているメモリカードＭＣに記憶されている画像についての、サムネイル画像の画像データを取得して、ビューワ画面の画像データを生成する。
次に、操作画面生成部１０１ｂは、生成した画像データを画像処理部１０１ｃに出力する。なお、画像処理部１０１ｃが画像データを入力した後の動作については、上述したＴＶ画面の表示動作と同じであるので説明を省略する。
そして、この表示動作の結果、ＴＶ画面からビューワ画面に切り替わり、スクリーン１０６にビューワ画面が表示されることになる。
【００３５】
図４は、スクリーン１０６に表示されるビューワ画面を示す説明図である。
図４に示すように、ビューワ画面ＢＤの右側には、メモリカードＭＣに記憶されている画像についてのサムネイル画像が表示され、左側には、種々のメニューボタンが表示される。初期表示状態では、各サムネイル画像のうち、左上端のサムネイル画像Ｓ１が選択されているが、図１に示す操作部１０７を操作することにより、別のサムネイル画像を選択することができる。
そして、このようなビューワ画面ＢＤが表示されるので、ユーザは、特別な操作をすることなく、メモリカードＭＣに記憶されている画像を直ぐに確認することができる。
【００３６】
続いて、図４に示すビューワ画面ＢＤがスクリーン１０６に表示された状態において、ビューワ画面ＢＤにおけるサムネイル画像Ｓ１の元画像を印刷する目的で、ユーザが、図１に示すプリンタＰＲＴを、ＵＳＢケーブルを用いてＵＳＢポートＰＴ２に新たに接続する場合の具体的な操作画面表示処理について説明する。
【００３７】
まず、ＵＳＢの初期化処理が実行され（ステップＳ２００）、ＵＳＢ制御部１０１ｄは、新たに接続されたデバイスの種類をプリンタであると特定し、また、プリンタ用のドライバをオペレーティングシステムに組み込む。
【００３８】
次に、ＵＳＢ制御部１０１ｄは、新たに接続されたデバイスの種類として「プリンタ」を表示制御部１０１ａに通知する（ステップＳ２０２）。
そして、表示制御部１０１ａは、メモリ１０２から表示判定テーブルＴｂを読み出し（ステップＳ２０４）、読み出した表示判定テーブルＴｂを用いて、スクリーン１０６における現在の表示画面（ビューワ画面）と、ＵＳＢ制御部１０１ｄから通知されたデバイスの種類（プリンタ）と、に基づき、新たに接続されたプリンタＰＲＴの操作画面である印刷画面を表示させるか否かを判定する（ステップＳ２０６）。
【００３９】
図３に示すように、表示判定テーブルＴｂにおいて、現在の表示画面が「ビューワ画面」で、新たに接続されたデバイスが「プリンタ」の場合、印刷画面を表示させるように定められている。これは、ビューワ画面においていずれかの画像が選択されるので、ユーザは、この画像を印刷する目的でプリンタを接続したと想定されるからである。
【００４０】
従って、表示制御部１０１ａは、印刷画面を表示させると判定することになる。そして、この場合、印刷画面をスクリーン１０６に表示するように表示動作が行われる（ステップＳ２０８）。なお、具体的な表示動作については、上述したビューワ画面の表示動作と同様であるので説明を省略する。
そして、この表示動作の結果、ビューワ画面から印刷画面に切り替わり、スクリーン１０６に印刷画面が表示されることになる。
【００４１】
図５は、スクリーン１０６に表示される印刷画面を示す説明図である。
図５に示すように、印刷画面ＰＤにおいて画面の左側には、印刷する画像のサムネイル画像Ｓ１，印刷枚数を指定するボタン，印刷実行ボタンなどが表示されている。また、画面の右側には、印刷する画像のプレビューが表示されている。
このような印刷画面ＰＤが表示されるので、ユーザは、特別な操作をすることなく、サムネイル画像Ｓ１の元画像を印刷することができる。
【００４２】
続いて、図５に示す印刷画面ＰＤがスクリーン１０６に表示された状態において、直ぐには使用しないが、いつでも画像データ等を保存できるようにしておく目的で、ユーザが、図１に示すハードディスクドライブＨＤＤを、ＵＳＢケーブルを用いてＵＳＢポートＰＴ３に接続する場合の具体的な処理について説明する。
【００４３】
この場合も、ハードディスクドライブＨＤＤが、ＵＳＢポートＰＴ３に新たに接続されれるので、上述した操作画面表示処理が実行される。
まず、ＵＳＢの初期化処理が実行され（ステップＳ２００）、ＵＳＢ制御部１０１ｄは、新たに接続されたデバイスの種類をハードディスクドライブであると特定し、また、ハードディスクドライブ用のドライバをオペレーティングシステムに組み込む。
【００４４】
次に、ＵＳＢ制御部１０１ｄは、新たに接続されたデバイスの種類として「ハードディスクドライブ」を表示制御部１０１ａに通知する（ステップＳ２０２）。
そして、表示制御部１０１ａは、メモリ１０２から表示判定テーブルＴｂを読み出し（ステップＳ２０４）、読み出した表示判定テーブルＴｂを用いて、スクリーン１０６における現在の表示画面（印刷画面）と、ＵＳＢ制御部１０１ｄから通知されたデバイスの種類（ハードディスクドライブ）と、に基づき、新たに接続されたハードディスクドライブＨＤＤの操作画面であるハードディスク保存画面を、表示させるか否かを判定する（ステップＳ２０６）。
【００４５】
図３に示すように、表示判定テーブルＴｂにおいて、現在の表示画面が「印刷画面」で、新たに接続されたデバイスが「ハードディスクドライブ」の場合、ハードディスク保存画面を表示させないように定められている。これは、印刷画面が表示されている場合、ユーザは印刷を実行しようとしており、接続して直ぐに画像データ等を保存するためにハードディスクドライブを接続したのではないと想定されるからである。
【００４６】
従って、この場合、操作画面表示処理は終了し、スクリーン１０６には、ハードディスク保存画面は表示されずに、現在の表示画面である印刷画面が表示されたままとなる。
【００４７】
Ａ３．実施例の効果：
以上説明したように、表示判定テーブルＴｂでは、ユーザが或るデバイスを新たに接続する場合に、直ぐに用いる目的で接続するのか、又は直ぐに用いる目的ではなく接続するのか、いずれであるのかを、スクリーン１０６における現在の表示画面から想定し、このデバイスの操作画面を表示させるか否かが定められている。
そして、表示制御部１０１ａは、このような表示判定テーブルＴｂを用いて、スクリーン１０６における現在の表示画面と、新たに接続されたデバイスの種類と、に基づき、このデバイスの操作画面を表示するか否かを判定するようにしている。
【００４８】
従って、ユーザが、接続して直ぐに用いる目的で、デバイスを新たに接続した場合には、ユーザによる特別な操作を必要とすることなく、このデバイスの操作画面がスクリーン１０６に表示される。
一方、ユーザが、接続して直ぐに用いる目的ではなく、デバイスを新たに接続した場合には、このデバイスの操作画面はスクリーン１０６に表示されないこととなる。その結果、ユーザは、接続して直ぐに用いる目的ではなく新たに接続したデバイスについて、操作画面を閉じなくて済むこととなる。
【００４９】
Ｂ．変形例：
なお、本発明は、前述の実施例や実施形態に限られるものではなく、その要旨を逸脱しない範囲において、種々の態様において実施することが可能であり、例えば以下のような変形も可能である。
【００５０】
Ｂ１．変形例１：
上述した実施例では、メモリカードリーダＣＲ，プリンタＰＲＴ，ハードディスクドライブＨＤＤといったデバイスを接続する表示装置として、プロジェクションテレビ１００を用いた構成について説明したが、本発明は、プロジェクションテレビ１００に限らず、例えば、モニタを接続したコンピュータなどを、表示装置として用いた構成についても適用することが可能である。
【００５１】
そして、表示装置として、モニタを接続したコンピュータを用いる構成において、このコンピュータに、マルチウィンドウ対応のオペレーティングシステムがインストールされている場合には、上述した実施例のように、新たに接続されたデバイスの操作画面を、現在の表示画面と切り換えて表示するのに代えて、現在の表示画面と共にこのデバイスの操作画面を表示するようにしてもよい。
【００５２】
具体的には、例えば、各デバイスの操作画面やＴＶ画面を、それぞれ、別のウィンドウで表示するようにして、表示すべき画面として定められた最新の画面を表示するウィンドウを、１番手前に表示する（アクティブにする）ようにする。そして、デバイスが新たに接続され、このデバイスの操作画面を表示させるように判定された場合、アクティブであったウィンドウを非アクティブに切り換え、新たに接続されたデバイスの操作画面を新たなウィンドウで表示すると共に、このウィンドウをアクティブとするようにしてもよい。
このようにしても、直ぐに用いる目的で新たに接続したデバイスの操作画面は、ユーザによる特別な操作を必要とすることなく表示されることとなる。
【００５３】
Ｂ２．変形例２：
上述した実施例では、プロジェクションテレビ１００が備えるＵＳＢポートの数は、４つであったが、この数に限定するものではない。また、上述した実施例では、ＵＳＢポートＰＴ１〜ＰＴ４にデバイスを直接接続する構成であったが、複数のデバイスを接続可能なＵＳＢハブを、ＵＳＢポートＰＴ１〜ＰＴ４のいずれかのポートに接続し、このＵＳＢハブにデバイスを接続する構成であっても構わない。
このような構成であっても、上述のＵＳＢ制御部１０１ｄは、ＵＳＢハブを介して、新たに接続されるデバイスとの間でＵＳＢの初期化処理を実行するので、このデバイスのデバイスクラス情報を受信して、デバイスの種類を特定することができる。
【００５４】
Ｂ３．変形例３：
上述した実施例では、プロジェクションテレビ１００に接続されるデバイスは、メモリカードリーダＣＲ，プリンタＰＲＴ，ハードディスクドライブＨＤＤであったが、これらデバイスに限定するものではなく、例えば、スキャナやデジタルカメラなど、ＵＳＢインタフェースを用いてプロジェクションテレビ１００に接続可能な、他のデバイスであっても構わない。
【００５５】
Ｂ４．変形例４：
上述した実施例では、デバイスをプロジェクションテレビ１００に接続するために、ＵＳＢインタフェースを用いていたが、ＵＳＢインタフェースに限定するものではなく、例えば、ＩＥＥＥ（Institute of Electrical and Electronic Engineers）１３９４など、処理装置の電源がオンの状態で、デバイスを接続することが可能な他のインタフェースを用いても構わない。そして、このような場合においても、処理装置は、上述したデバイスクラス情報のように、接続するデバイスを識別可能な情報を、接続されたデバイスから取得するようにすればよい。
このようにすることで、接続されたデバイスを特定することができるので、上述した実施例と同様に、表示判定テーブルを用いて、このデバイスの操作画面を表示させるか否かを判定することができる。
【００５６】
Ｂ５．変形例５：
上述した実施例では、メモリカードリーダＣＲをプロジェクションテレビ１００に接続する場合、まず、メモリカードＭＣをメモリカードリーダＣＲに挿入し、次にメモリカードＭＣが挿入されたメモリカードリーダＣＲを接続するようにしていたが、これに代えて、まず、メモリカードリーダＣＲをプロジェクションテレビ１００に接続し、次にメモリカードＭＣをメモリカードリーダＣＲに挿入するようにしてもよい。
【００５７】
なお、この場合、表示判定テーブルにおいて、メモリカードＭＣが挿入されたメモリカードリーダＣＲと、メモリカードＭＣが挿入されていないメモリカードリーダＣＲと、を別にして、それぞれのメモリカードリーダＣＲが接続された場合に、ビューワ画面を表示させるか否かを定めておくようにすればよい。
または、メモリカードＭＣが挿入されていないメモリカードリーダＣＲが接続され、前述の表示判定テーブルＴｂに基づいてビューワ画面を表示させるように判定された場合、メモリカードＭＣが挿入されるまで、ビューワ画面の表示動作を行わないようにしてもよい。
【００５８】
Ｂ６．変形例６：
本発明における表示判定テーブルの内容は、図３に示す表示判定テーブルＴｂの内容に限定するものではない。例えば、現在の表示画面が「印刷画面」で、新たに接続されたデバイスが「ハードディスクドライブ」の場合、図３に示す表示判定テーブルＴｂでは、ハードディスク保存画面は表示させないように定めているが、ユーザが、選択した画像について、プリンタで印刷することに代えて、ハードディスクドライブに保存しようと考え、ハードディスクドライブを接続する場合も想定される。従って、このような想定に基づき、ハードディスク保存画面を表示させるように定めるようにしてもよい。
【図面の簡単な説明】
【００５９】
【図１】本発明の一実施例としてのプロジェクションテレビの概要構成を示す説明図。
【図２】本実施例における、操作画面表示処理の手順を示すフローチャート。
【図３】メモリ１０２に記憶される表示判定テーブルＴｂを示す説明図。
【図４】スクリーン１０６に表示されるビューワ画面を示す説明図。
【図５】スクリーン１０６に表示される印刷画面を示す説明図。
【符号の説明】
【００６０】
１００...プロジェクションテレビ
１０１...ＣＰＵ
１０１ａ...表示制御部
１０１ｂ...操作画面生成部
１０１ｃ...画像処理部
１０１ｄ...ＵＳＢ制御部
１０２...メモリ
１０３...ＵＳＢコントローラ
１０４...ＴＶ信号処理部
１０５...液晶ライトバルブ
１０６...スクリーン
１０７...操作部
１０８...内部バス
ＢＤ...ビューワ画面
ＣＲ...メモリカードリーダ
ＨＤＤ...ハードディスクドライブ
ＭＣ...メモリカード
ＰＤ...印刷画面
ＰＲＴ...プリンタ
ＰＴ１〜ＰＴ４...ＵＳＢポート
Ｓ１...サムネイル画像
Ｔｂ...表示判定テーブル
【図１】
2006139684.tif 000003
【図２】
2006139684.tif 000004
【図３】
2006139684.tif 000005
【図４】
2006139684.tif 000006
【図５】
2006139684.tif 000007